(57)【要約】      （修正有）【課題】  狭いスペース内への設置に適したスパイラル部材方式のスタッカにおいて、紙幣に紐やテープを固定してスタッカ内の紙幣を回収する不正行為を防止することができる紙幣取扱装置を提供する。【解決手段】  紙幣識別部１０を通過してきた紙幣を受け入れる収容空所３２と、収容空所内の上流側に所定の間隔で対向配置され且つ回転自在な一対のスパイラル部材３５、３６と、各スパイラル部材を同期して回転駆動する駆動機構と、紙幣を収容空所内の停止位置まで引き込む引き込み手段と、を備え、紙幣識別部とスパイラル部材との間の搬送経路の終端部には、紙幣の引き抜き防止部材７０を備え、搬送経路１０ａの搬送面は、スパイラル羽根の紙幣受け入れ幅の範囲内に対応する位置にあり、引き抜き防止部材は、搬送面の終端部から下流側へ突出した突出片７１であり、該突出片の先端縁には搬送方向と交差する方向へ延びる凹凸部が形成されている。【選択図】  図８
2006195595.tif 000002
【特許請求の範囲】
【請求項１】
前端面に紙幣挿入口を備えた紙幣識別部と、前記紙幣識別部の奥側にあって該紙幣識別部を通過してきた紙幣を収容するスタッカと、を備えた紙幣取扱装置において、
前記スタッカは、前記紙幣識別部を通過してきた紙幣を受け入れる収容空所と、該収容空所内の上流側に所定の間隔で対向配置され且つ回転自在な一対のスパイラル部材と、該２つのスパイラル部材を同期して回転駆動するモータ及びギヤ群を含んだ駆動機構と、紙幣を収容空所内の停止位置まで引き込む引き込み手段と、を備え、
前記２つのスパイラル部材は、同ピッチであり、且つ互いに逆の螺旋方向へ伸びるスパイラル羽根を備え、
前記各スパイラル羽根は、そのピッチ内に紙幣両端部を支持した状態で夫々回転することによってスパイラル羽根終端部から紙幣両端部を離脱させて紙幣面と交差する方向へ移行させる構成を備え、
前記収納空所内には、前記各スパイラル羽根終端部から離脱してきた紙幣を堆積する紙幣受板と、該紙幣受板を前記スパイラル羽根終端部に向けて付勢する弾性部材と、を備え、
前記紙幣識別部と前記スパイラル部材との間の搬送経路の終端部には、紙幣の引き抜き防止部材を備え、
前記搬送経路の搬送面は、前記スパイラル羽根の紙幣受け入れ幅の範囲内に対応する位置にあり、
前記引き抜き防止部材は、前記搬送面の終端部から下流側へ突出した突出片であり、該突出片の先端縁には搬送方向と交差する方向へ延びる山部と谷部が連続形成された凹凸部が形成されていることを特徴とする紙幣取扱装置。
【請求項２】
前記突出片の凹凸部を構成する山部の先端部は、鋭角、或いは鈍角状に尖っていることを特徴とする請求項１に記載の紙幣取扱装置。
【請求項３】
前記突出片の凹凸部を構成する山部の先端、或いは稜線の下面に、下方への突起部を設けたことを特徴とする請求項１、又は２に記載の紙幣取扱装置。
【請求項４】
請求項１乃至３の何れか一項に記載の紙幣取扱装置を備えたことを特徴とする遊技機用台間機。
【発明の詳細な説明】
【技術分野】
【０００１】
本発明は、各種自動販売機、両替機、金銭入出金装置等の紙幣取扱装置の改良に関し、特に投入口から投入されてスタッカ内に一旦収容された紙幣を、紙幣に予め固定した紐等を引っ張ることによって投入口から回収する不正行為を防止する機能を備えた紙幣取扱装置に関する。
【背景技術】
【０００２】
パチンコホール、パチスロホール等の遊技場においては、遊技台間の狭いスペース（４０〜６０ｍｍ）に遊技球や遊技メダルを貸し出すための台間機が設置される。台間機はその前面に紙幣挿入口や操作ボタンを供えており、隣接する遊技台で遊技をしようとする遊技者は、紙幣挿入口から紙幣を挿入してから操作ボタンにより操作を行うことにより、所望数量の遊技球やメダルの貸出しを受けることができる。
最近では、個々の台間機に紙幣収容用のスタッカを備えた紙幣収納型台間機が一般化しており、スタッカが満杯になった場合には、係員がスタッカの開閉を禁止するためのロックを開錠して紙幣束を取り出す作業を適宜行っている。
このような台間機における紙幣収納型の紙幣取扱装置は、紙幣挿入口の内奥部に、受け入れた紙幣の真贋、金種を判定する紙幣識別機と、紙幣識別機により真正紙幣であるとの判定を受けた紙幣を受入れて積層収容するスタッカが順次配置されている。
【０００３】
また、従来の台間機のスタッカにおいては、スタッカ内に引き入れた紙幣を紙幣受板上に積層するためにプッシャを往復動させて押し込む機構を採用しているため、プッシャの可動範囲を確保するために紙幣の収容スペースが減少し、収容枚数が少なくなるという問題があった。
特開昭５７−６７４５１号公報には、紙幣受板の紙幣積載面側に複数個の多重巻きスパイラル部材を回転自在に配置することによって、スタッカ内に搬送されてくる紙幣の対向する２つの端縁を各多重巻きスパイラル羽根のピッチ間で支持し、各多重巻きスパイラル部材を所定方向に回転させることによって紙幣端縁をピッチに沿って順次紙幣受板上に移載するようにした紙葉類の収納装置が開示されている。これによれば、大きな可動範囲を必要とするプッシャを必要としないため、限られた幅内における紙幣の収容枚数を増大させることができる。
次に、特開平１１−２３２５２６号公報には、紙幣収容箱に単一のスパイラル部材を回転自在に配置し、収容箱内に長手方向に沿って導入されてきた紙幣の幅方向一端縁をスパイラル羽根のピッチ間に挟んで紙幣受板上に移載してゆく構成が開示されている。
しかし、これらの従来例にあっては、スパイラル部材のスパイラル羽根終端部と、紙幣受板（受板上の既堆積紙幣最上面）との間で紙幣両端部を中心として部分的に加圧保持するに過ぎないため保持力が弱く、紙幣に固定した紐やテープを用いて、一旦紙幣受板上に堆積された紙幣を投入口に引き戻して回収する不正行為を防止することができなかった。
これに対して上記プッシャ式のスタッカにあっては、紙幣受板上の紙幣上面を広い面積範囲に亘ってプッシャが強固に押さえ込むことができるため、紙幣に固定した紐等によって回収しようとしても、紐等と紙幣との固定部が破断することにより不正行為が成就することはなかった。しかし、スパイラル部材を用いたスタッカにあっては、紙幣を押さえ込む面積が少ないため必然的に紙幣を抑える圧力が小さくなり、紐等を用いた引き戻しが容易に行われることとなる。
【０００４】
次に、特開平７−７８２８０号には、スタッカ部の入口に、下流側先端縁に２本のやや下向きの爪と、該２本の爪の中間位置に配置した上向きの爪とから成る上流側引き抜き防止部材と、その下流側に配置された上下方向にクランク状に屈曲した板から成る下流側引き抜き防止部材を配置した構成が開示されており、スタッカ部に導入される紙幣は入口において上向きの爪によって幅方向中央ラインを持ち上げられ、次いで下流側引き抜き防止部材によって下げられて搬送される。これにより、紙幣に糸やテープ等を繋いでおいてスタッカ部に一旦収納された紙幣を不正に引き抜こうとしても、紙幣後端が上流側引き抜き防止部材の爪に引っかかって引き抜きができなくなる。
しかし、上記従来例に係る引き抜き防止のための構成は、上流側引き抜き防止部材と下流側引き抜き防止部材を必須とするため、このような構成を厚さ方向スペースに制限があるスパイラル部材を用いたスタッカに適用すると、厚み方向スペースが増大するのみならず、２つの部材を上下流方向位置をずらして配置するため、紙幣搬送方向サイズも増大する虞が大きくなる。
【特許文献１】特開平１１−２３２５２６号公報
【特許文献２】特開平７−７８２８０号公報
【発明の開示】
【発明が解決しようとする課題】
【０００５】
本発明は上記に鑑みてなされたものであり、狭いスペース内への設置に適したスパイラル部材方式のスタッカにおいて、スタッカ内の紙幣収容枚数を最大限に確保し、且つ紙幣搬送方向寸法を最小限に押えながら、紙幣に紐やテープを固定してスタッカ内の紙幣を回収する不正行為を防止することができる紙幣取扱装置を提供することを目的としている。
【課題を解決するための手段】
【０００６】
上記課題を解決するため、請求項１の発明に係る紙幣取扱装置は、前端面に紙幣挿入口を備えた紙幣識別部と、前記紙幣識別部の奥側にあって該紙幣識別部を通過してきた紙幣を収容するスタッカと、を備えた紙幣取扱装置において、前記スタッカは、前記紙幣識別部を通過してきた紙幣を受け入れる収容空所と、該収容空所内の上流側に所定の間隔で対向配置され且つ回転自在な一対のスパイラル部材と、該２つのスパイラル部材を同期して回転駆動するモータ及びギヤ群を含んだ駆動機構と、紙幣を収容空所内の停止位置まで引き込む引き込み手段と、を備え、前記２つのスパイラル部材は、同ピッチであり、且つ互いに逆の螺旋方向へ伸びるスパイラル羽根を備え、前記各スパイラル羽根は、そのピッチ内に紙幣両端部を支持した状態で夫々回転することによってスパイラル羽根終端部から紙幣両端部を離脱させて紙幣面と交差する方向へ移行させる構成を備え、前記収納空所内には、前記各スパイラル羽根終端部から離脱してきた紙幣を堆積する紙幣受板と、該紙幣受板を前記スパイラル羽根終端部に向けて付勢する弾性部材と、を備え、前記紙幣識別部と前記スパイラル部材との間の搬送経路の終端部には、紙幣の引き抜き防止部材を備え、前記搬送経路の搬送面は、前記スパイラル羽根の紙幣受け入れ幅の範囲内に対応する位置にあり、前記引き抜き防止部材は、前記搬送面の終端部から下流側へ突出した突出片であり、該突出片の先端縁には搬送方向と交差する方向へ延びる山部と谷部が連続形成された凹凸部が形成されていることを特徴とする。
請求項２の発明は、請求項１において、前記突出片の凹凸部を構成する山部の先端部は、鋭角、或いは鈍角状に尖っていることを特徴とする。
請求項３の発明は、請求項１、又は２において、前記突出片の凹凸部を構成する山部の先端、或いは稜線の下面に、下方への突起部を設けたことを特徴とする。
請求項４の発明に係る遊技機用台間機は、請求項１乃至３の何れか一項に記載の紙幣取扱装置を備えたことを特徴とする。
【発明の効果】
【０００７】
本発明の紙幣取扱装置が備えたスタッカによれば、遊技機用の台間機に装備されるスタッカのように、狭いスペース内への設置に適したスパイラル部材方式のスタッカにおいて、スタッカ内の紙幣収容枚数を最大限に確保し、且つ紙幣搬送方向寸法を最小限に抑えながら、紙幣に紐やテープを固定してスタッカ内の紙幣を回収する不正行為を防止することができる。
搬送経路の搬送面は、スパイラル羽根の紙幣受け入れ幅の範囲内に対応する位置にあるが、スパイラル部材の回転によりスパイラル羽根から離脱して堆積位置へ移ることにより、搬送面の終端部から突出する突出片と、紙幣受板上の堆積紙幣の最外面との間には段差が形成されることとなり、この段差の存在によって不正に引き戻されようとする紙幣が突出片の下面によって確実に引っ掛けられて引き戻しを阻止されることとなる。突出片先端下面に突起を設けたり、その摩擦抵抗を高めることにより紙幣を係止する効果が更に高まる。
突出片先端縁に沿って形成された凹凸部は、少なくとも山部の先端が鋭角であるため（稜線は曲線であってもよい）、紙幣に止着された紐類は山部の頂部にとどまることができず、紐類を引けば必ず紐類は谷部に落ち込むこととなり、紙幣の引き抜きが不可能となる。
【発明を実施するための最良の形態】
【０００８】
以下、本発明を添付図面に示した実施の形態により詳細に説明する。
図１は本発明の一実施形態に係る台間機の全体構成を示す斜視図、図２（ａ）及び（ｂ）は紙幣識別部とスタッカの収納状態（運用時）、及び紙幣抜き取り状態（開放時）を示す概略説明図、図３（ａ）及び（ｂ）は運用時における紙幣識別部とスタッカの正面図、及び内部構成図、図４は開放時における紙幣識別部とスタッカの内部構成図、図５は紙幣識別部とスタッカの構成を示す斜視図、図６（ａ）（ｂ）（ｃ）及び（ｄ）はスパイラル部材の構成を示す正面図、スパイラル部材の構成を示す斜視図、紙幣引き込み動作を示す斜視図、及び要部拡大斜視図、図７は紙幣の搬送手段を説明する略図である。
図１において、台間機１は、パチンコホール等の遊技場において、パチンコ等の遊技台間の４０ｍｍ程度の狭いスペース内に設置されるため薄型に構成されている。台間機１は、貸球の収納、払出機構等を備えた台間機本体２と、挿入口１２から挿入された紙幣の真贋、金種を識別する紙幣識別部１０と、紙幣識別部１０を通過してきた紙幣を積層状態で収容するスタッカ３０と、紙幣識別部１０及びスタッカ３０を前後位置関係で収容する空間である装着部３と、制御手段と、を備えている。
装着部３、紙幣識別部１０、及びスタッカ３０は、紙幣取扱装置Ｄを構成しており、装着部３、紙幣識別部１０、及びスタッカ３０は紙幣取扱装置Ｄの筐体、その他の機構部材を構成する枠体によって支持されている。
装着部３、紙幣識別部１０、及びスタッカ３０を制御する制御手段は、この紙幣取扱装置Ｄ側に搭載してもよい。
この装着部３は、台間機本体２の適所（隣接する遊技台の正面に着座する遊技者にとって操作し易い高さ位置）に配置される。装着部３は前面側が開口した空所であり、その奥部には独立したユニットとしてのスタッカ３０が前後方向へ進退自在に収容されており、スタッカ３０の収容部の直前位置（装着部前部）には独立したユニットとしての紙幣識別部１０が装着部下部（紙幣取扱装置Ｄの枠体下部）に設けたヒンジ部１１によって縦方向へ開閉（回動）自在に軸支され、更に紙幣識別部１０の前端面には縦長の紙幣挿入口１２を備えている。更に、紙幣識別部１０とスタッカ３０とはリンク１３（プルロッド）によって連結されており、紙幣識別部１０の回動による開閉動作に連動してスタッカ３０が装着部３内を前後に進退するように構成されている。
【０００９】
紙幣識別部１０は、図２（ａ）、図３に示すように運用時においては上方へ回動した閉止位置にあり、スタッカ３０を装着部３内の最奥部に押し付けた状態で装着部３の前部に位置していて、ロック手段１４によって台間機本体２に固定されている。一方、ロック手段１４を開錠して紙幣識別部１０を前方下方（破線矢印の方向）へ回動させた開放時には、図２（ｂ）、図４に示すように下方へ回動、退避するため、リンク（リンク機構）１３を介してスタッカ３０を前方へ引き出し、収容された紙幣束を取出し易くしている。
紙幣識別部１０は、そのケーシング内に後述する識別センサ２０と、搬送手段（ベルト、及びローラ）１５を備え、台間機本体１に設けた図示しない制御手段、或いは紙幣取扱装置Ｄに設けた図示しない制御手段（スタッカプリント基板５４）は、挿入口１２から挿入された紙幣を搬送手段１５によって内部に引き込みながら紙幣移動経路に配置した識別センサ２０からの検知信号によって真贋、金種を判定し、リジェクトする必要がある場合には搬送手段１５を逆転させて挿入口１２から戻し、受け入れる場合にはスタッカ３０側へ搬送する。
【００１０】
ロッド状のリンク１３は前端を紙幣識別部１０の下部後部にピンにより軸支されると共に、後端をスタッカ３０の適所にピンによって軸支されているため、図３（ａ）（ｂ）に示した如き挙動が可能となる。符号１６は紙幣識別部１０とスタッカ３０とを電気的に接続するケーブルであり、１７は搬送手段１５を駆動するためのモータである。また、紙幣識別部１０のケーシングの側面には図５に示すように矢印方向へ開閉可能な扉１８を設けて、図２（ｂ）のように紙幣識別部が開放した状態にて扉を開くとケーシング内部の点検等を行い得るように構成している。
スタッカ３０は、装着部３の上下に設けた図示しないガイドによって前後方向へ進退自在に支持されている。スタッカ３０は、紙幣識別部１０を通過してきた紙幣を前面開口３１から受け入れる収容空所３２を有したケーシング３３と、ケーシング３３の前面開口内部（収容空所３２内の上流側）に所定の上下間隔で回転自在に配置された上下一対のスパイラル部材３５、３６と、２つのスパイラル部材を同期して回転駆動させるためのモータ４０及びギヤ群４１、４２、４３、４４、４５を含んだ駆動機構４６と、紙幣を収容空所３２内の停止位置まで引き込む引き込み手段としてのベルト５０と、を備えている。
駆動機構４６を構成する各ギヤ群４１〜４５は、専用のモータ４０によって回転駆動される。一方、ベルト５０は、ベルト駆動専用のモータ５５の出力軸５５ａと、ベルト５０を駆動するプーリ５６の軸５６ａとを、ギヤボックス５７内のウォームギヤによって連結することにより、モータ５５からの駆動力の伝達を受けて駆動される。
２つのスパイラル部材３５、３６は、水平方向へ伸びる軸部３５ａ、３６ａと、各軸部３５ａ、３６ａの回りに螺旋状に巻き付くように一体化され、同ピッチであり且つ互いに逆の螺旋方向へ伸びるスパイラル羽根３５ｂ、３６ｂを備えている。また、各軸部３５ａ、３６ａの先端部には大径ギヤ４１、４２の軸心部が固定されている。
スパイラル部材は、例えばポリアセタール等の低摩擦で、加工し易い樹脂材料から構成する。
各スパイラル羽根３５ｂ、３６ｂは、例えば１．５重（１．５巻）に巻かれており、図６（ａ）（ｂ）に示すように紙幣を受け入れる初期状態では、スパイラル羽根３５ｂ、３６ｂは対応する同一ピッチ内（同一高さ位置）に紙幣Ｂの幅方向両端縁を挿通し得る回転角度にて停止している。即ち、図６（ａ）の実線で示す紙幣Ｂは各スパイラル羽根３５ｂ、３６ｂのピッチ内にガイドされつつベルト５０によって片面を支持されて紙幣受板５１上を奥へ送り込まれ、紙幣先端が奥壁５２に当接した状態でベルト５０は停止する。紙幣が停止した時点では、スパイラル羽根３５ｂ、３６ｂは図６（ａ）（ｂ）の初期状態にあって停止しているが、直ちにスパイラル部材３５、３６は、図５の矢印方向に回転を開始するため、ピッチ間に位置していた紙幣の幅方向両端部はピッチに沿って軸方向、即ち紙幣受板５１側へ移動し、各スパイラル羽根３５ｂ、３６ｂの終端部３５ｂ’、３６ｂ’を離脱して紙幣受板５１上に着座した後は、紙幣の外側面を各スパイラル羽根の終端部３５ｂ’、３６ｂ’の底面（端面、押え面）によって押圧される。つまり、スパイラル羽根３５ｂ、３６ｂの回転によって終端部３５ｂ’、３６ｂ’を離脱した紙幣は、紙幣面と交差（直交）する方向へ移動することによって、紙幣受板５１側へ移行することができる。
【００１１】
各スパイラル羽根のピッチ内に保持した紙幣を紙幣受板５１上に移載する際の各スパイラル部材の回転方向は、図５に示したように紙幣後端部を幅方向外側に引き延ばす方向となるように設定するのが好ましい。このように構成することにより幅方向内側に収縮する癖のある紙幣を幅方向外側に伸張させることができる。
次の紙幣を受け入れる場合には、各スパイラル部材３５、３６は、図６（ａ）（ｂ）の初期状態（ホームポジション）に復帰して待機する。
本実施例では、各スパイラル部材３５、３６を構成するスパイラル羽根３５ｂ、３６ｂの巻き数は、１．５重、即ち２巻き未満でよいため、その軸方向長を必要最小限に抑えることができ、スタッカ内における紙幣収容枚数を従来よりも増量することができる。
また、本発明では、スパイラル部材３５、３６は、図６（ａ）に示したホームポジションの時に、紙幣ガイドの役目を果たし、挿入紙幣が奥壁５２まで搬送されて停止（停止位置へ到達）した後で、図６（ｃ）（ｄ）に示すように各スパイラル部材が一回転して保持していた紙幣の両端縁をピッチの終端部から離脱させて先行スタック紙幣上に移載（堆積位置へ到達）した後で、紙幣の後端を抑えるようにしたので、堆積した紙幣の浮き上がりがなくなり、既挿入紙幣と新規挿入紙幣との衝突が防止される。
【００１２】
次に、図７により、紙幣識別部とスタッカ内における紙幣搬送手段の概略構成を説明する。紙幣識別部１０は、バネ２２によって一方（紙幣厚さ方向）へ付勢されたガイド板２１と、ガイド板２１の片面との間で搬送経路を形成するベルト１５ａと、ベルト１５ａと対向配置されたローラ１５ｂとを有し、モータ１７によってベルト１５ａを正逆駆動することにより、挿入口１２から挿入された紙幣をスタッカ３０方向へ搬送したり、挿入口１２に逆送することができる。
スタッカ３０側には、バネ５３によって一方向（ベルト５０側）へ付勢された紙幣受板５１と、紙幣受板５１の紙幣積載面側に配置されて紙幣を導入するベルト５０と、スパイラル部材３５、３６等を備えている。スパイラル部材３５、３６は、前述のように、紙幣導入時には紙幣識別部１０のガイド板２１上（搬送経路の搬送面）を搬送されてきた紙幣をスパイラル羽根のピッチ内に直線的に受け入れてガイドできるようにホームポジション（角度）に停止しており、送り込まれてきた紙幣はベルト５０によって紙幣受板５１上を更に奥へ向けて搬送され、奥壁（スタッカ突き当て部）５２に紙幣先端が当接するまで搬送してベルト５０の駆動を停止する。そして、紙幣が停止位置へ到達し、ベルト５０が停止すると、スパイラル部材３５、３６が夫々図５の矢印方向へ所定角度だけ回転してピッチ内に保持した紙幣後端部を紙幣受板５１の積載面に着座させ、且つ紙幣の外側面をスパイラル羽根の終端部３５ｂ’、３６ｂ’近傍の下面にて押さえ付ける。紙幣受板５１もバネ５３によってベルトへ向けて付勢されているため、紙幣受板５１上に移載された紙幣（束）は、紙幣受板５１と各スパイラル羽根の終端部下面によって確実に保持される。
なお、図３、図４において、符号５４は、スタッカのケーシング３３内適所（この例ではケーシング下部）に収容されたスタッカプリント基板であり、スタッカを構成する各駆動要素を制御するための回路が搭載されている。
また、スタッカケーシング３３の内側に位置する紙幣カバー６０の前部開口端縁には紙幣束を取出し易くするための切欠き６１を形成する。また、図５に示すごとくケーシング３３の側面には開口３３ａと、開口３３ａを開閉するための蓋３３ｂを配置する。蓋３３ｂを開放することにより、内部に露出する搬送手段、収容部に付着したゴミの除去、ジャム紙幣の除去、ベルトの清掃を容易化している。
次に、駆動機構４６は、各スパイラル部材３５、３６の軸方向一端部に夫々同軸状に固定された大径ギヤ４１、４２と、両大径ギヤ４１、４２間に配置されて大径ギヤ間に位置して駆動力を伝達する２つの小径ギヤ４３、４４と、一方の大径ギヤ４１に噛合してモータ４０からの駆動力を伝達する駆動ギヤ４５とを備えており、２つの小径ギヤ４３、４４は、２つの大径ギヤ４１、４２よりも奥側に退避して配置されている。即ち、各スパイラル部材３５、３６は、互いに異なる螺旋方向となるように構成されており、同期して互いに逆方向に回転駆動される。
【００１３】
次に、図８（ａ）及び（ｂ）は紙幣の引き抜き防止部の一例の構成を示す要部拡大断面図、及び平面図である。
即ち、スタッカ３０を構成する収納空所３２内には、各スパイラル部材３５、３６のスパイラル羽根終端部３５ｂ’、３６ｂ’から離脱して、紙幣面と交差（直交）する方向へ移動してきた紙幣を堆積する紙幣受板５１と、紙幣受板５１をスパイラル羽根終端部３５ｂ’、３６ｂ’に向けて付勢する弾性部材（バネ）５３と、を備え、紙幣識別部１０の出口とスパイラル部材３５、３６との間の搬送経路１０ａの終端部（例えば、ガイド２１の出口側端部）には、紙幣の引き抜き防止部材７０を備えている。
搬送経路１０ａの搬送面は、スパイラル羽根の紙幣受け入れ幅Ｗ内に紙幣先端を直進させて送り込むことが出来るように、当該受入れ幅Ｗの範囲内に対応した位置にある。
引き抜き防止部材７０は、搬送経路１０ａの搬送面の終端部から下流側へ突出した薄板状の突出片７１から成り、突出片７１の先端縁には紙幣搬送方向と交差する方向へ延びる複数の凹凸部７２が形成されている。突出片７１は、スパイラル部材の終端部によって押さえられた堆積紙幣の最外面よりも図面上方において収容空所３２側へオーバーハングしている部材であり、できるだけ一定以上の剛性を有した材料から成る薄肉の板状であることが好ましい。
この凹凸部７２は、図示のように鋭角、或いは鈍角状の三角形状の山と谷の連続形状とする。この場合、山と谷の幅は均等でなくともよい。何れにしても、凹凸部７２には、谷部が存在することによって、紙幣収容空所３２内に一旦収容された紙幣に固定された紐やテープ７５を紙幣投入口側から引き戻そうとしても、紐等７５は凹凸部７２の谷部に落ち込んで引っかかり、紙幣の引き戻しが不可能となるように構成されている。即ち、紙幣識別部１０を通過して搬送経路１０ａ上を搬送されてきた紙幣が、スパイラル部材３５、３６によってガイドされつつ、スパイラル羽根の終端部を離脱して紙幣受板５１上の既堆積紙幣上に移行した段階で、紙幣後端部に一端を固定した紐等７５の他端部を投入口から引っ張って回収しようとした場合、突出片７１の先端縁には三角形状の山部と谷部から成る凹凸部７２が複数連続形成されているため、紐等７５は必ず山部の頂部にとどまることができずに傾斜辺に沿って谷部内に落ち込んだ状態となる。しかも、堆積紙幣の最外部に位置する紙幣Ｂと突出片７１との間には段差ｈがあり、突出片７１はオーバーハングしている。このため、この状態で紐を引けば、紙幣はオーバーハングした突出片７１の下面側に入り込んで引っかかり、紙幣を破断せずにそれ以上引き抜くことは困難となる。
【００１４】
突出片７１の厚み方向の形状としては、図８（ａ）に示すように均一厚とする場合に限る訳ではなく、図９（ａ）（ｂ）のように突出片７１の先端（山部）下面側を下方へ突出させることにより先端側の厚みを大きくしたり、或いは逆に山部の先端側を薄くしてもよいが、引き戻されようとする紙幣後端部を突出片７１の下部にて引っ掛けた状態で保持し易くするためには、図９（ａ）（ｂ）のように突出片の山部先端下面、或いは稜線下面を下方へ突出させた突起部７１ｃを設けるのが好ましい。或いは、突出片７１の下面の摩擦抵抗を大きくして紙幣が突出片７１に引っかかりやすくしてもよい。
なお、本発明による引き抜き防止部材の構造は、紙幣受板をプッシャにて加圧するタイプのスタッカではなく、図示した如きスパイラル部材を用いたタイプのスタッカに適用することによって初めてその特異性を発揮できることは言うまでもない。
また、本発明の紙幣取扱装置をパチンコ、パチスロ等を設置した遊技場における遊技機用台間機に適用することにより、優れた効果を得ることができる。
【図面の簡単な説明】
【００１５】
【図１】本発明の一実施形態に係る台間機の全体構成を示す斜視図。
【図２】（ａ）及び（ｂ）は紙幣識別部とスタッカの収納状態（運用時）、及び紙幣抜き取り状態（開放時）を示す概略説明図。
【図３】（ａ）及び（ｂ）は運用時における紙幣識別部とスタッカの正面図、及び内部構成図。
【図４】開放時における紙幣識別部とスタッカの内部構成図。
【図５】紙幣識別部とスタッカの構成を説明するための一部透視斜視図。
【図６】（ａ）（ｂ）（ｃ）及び（ｄ）はスパイラル部材の構成を示す正面図、スパイラル部材の構成を示す斜視図、紙幣引き込み動作を示す斜視図、及び要部拡大斜視図。
【図７】紙幣の搬送手段を説明する略図。
【図８】（ａ）及び（ｂ）は、本発明の一実施形態に係る引き抜き防止部材を備えた装置構成の要部拡大図、及びその平面図。
【図９】（ａ）（ｂ）は、突出片の構成例を示す平面図。
【符号の説明】
【００１６】
１  台間機、２  台間機本体、Ｄ  紙幣取扱装置、３  装着部、１０  紙幣識別部、１１  ヒンジ、１２  挿入口、１３  リンク（リンク機構）、１４  ロック手段、１５  搬送手段、２０  識別センサ、３０  スタッカ、３１  前面開口、３２  収容空所、３３  ケーシング、３５、３６  スパイラル部材、３５ａ、３６ａ  軸部、３５ｂ、３６ｂ  スパイラル羽根、３５ｂ’、３６ｂ’  終端部、４０  モータ、４１  大径ギヤ、４２  大径ギヤ、４３  小径ギヤ、４４  小径ギヤ、４５  ギヤ、４６  駆動機構、５０  ベルト、５１  紙幣受板、５３  バネ、５４  プリント基板（制御手段）、７０  引き抜き防止部材、７１  突出片。
【図１】
2006195595.tif 000003
【図２】
2006195595.tif 000004
【図３】
2006195595.tif 000005
【図４】
2006195595.tif 000006
【図５】
2006195595.tif 000007
【図６】
2006195595.tif 000008
【図７】
2006195595.tif 000009
【図８】
2006195595.tif 000010
【図９】
2006195595.tif 000011